(57)【要約】【課題】演出の種類を多彩にし、遊技者に強い影響や印象を与える。【解決手段】スロットマシン１は、前扉３の表面に設けられた前記上、中、下段の横長発光部２０１〜２０３及び前記左上、右上、左下、右下の縦長発光部２０４〜２０７が７セグメントディスプレイの各セグメントとして機能し、前扉３の裏側に設けられたサブ制御基板が前記上、中、下段の横長発光部２０１〜２０３及び前記左上、右上、左下、右下の縦長発光部２０４〜２０７を選択的に発光させることで、前扉３と略同サイズのアラビア数字を表現することができ、これにより、演出の種類を多彩にし、遊技者に強い影響や印象を与えることができる。【選択図】  図１
2009172168.tif 000002
【特許請求の範囲】
【請求項１】
前方に開口を有する筐体と、
前記筐体の内部に配置され、外周面に複数種類の図柄が描かれたリールと、
表面が上部パネル部と下部パネル部に区分けされ、前記筐体に対して回動可能に取り付けられることで前記開口を開閉可能な状態で閉塞させる前扉と、
前記前扉に設けられ、当該前扉が前記開口を閉塞した状態で前記リールの前方に配置して当該リールを視認可能にする表示窓と、
前記前扉の上部パネル部の上側に設けられ、横長形状で長さが当該上部パネル部の上辺と略同幅に形成された上段の横長発光部と、
前記前扉の上部パネル部と下部パネル部の間に設けられ、横長形状で長さが上部パネル部または下部パネル部の下辺と略同幅に形成された中段の横長発光部と、
前記前扉の下部パネル部の下側に設けられ、横長形状で長さが当該下部パネル部の下辺と略同幅に形成された下段の横長発光部と、
前記前扉の上部パネル部の一方の脇に設けられ、縦長形状で縦方向が当該上部パネル部の左辺と略同じ長さに形成された第１の縦長発光部と、
前記前扉の上部パネル部の他方の脇に設けられ、縦長形状で縦方向が当該上部パネル部の右辺と略同じ長さに形成された第２の縦長発光部と、
前記前扉の下部パネル部の一方の脇に設けられ、縦長形状で縦方向が当該下部パネル部の左辺と略同じ長さに形成された縦長形状の第３の縦長発光部と、
前記前扉の下部パネル部の他方の脇に設けられ、縦長形状で縦方向が当該下部パネル部の右辺と略同じ長さに形成された第４の縦長発光部と、
前記中段の横長発光部に設けられ、前記リールの回転を開始させる操作を行うためのスタートボタンと、
前記中段の横長発光部に設けられ、前記リールの回転を停止させる操作を行うためのストップボタンと、
前記上、中、下段の横長発光部、前記第１乃至第４の縦長発光部、前記スタートボタン及び前記ストップボタンを選択的に発光させる発光制御手段と、
を備えることを特徴とする遊技機。
【請求項２】
前記スタートボタン及び前記ストップボタンは、
中段の横長発光部に設けられ、表面側から押圧操作を行うことが可能な押圧部材と、
前記押圧部材を押圧待機位置から押し込み位置に往復移動自在な状態で保持する保持部材と、
前記押圧部材を前記押圧待機位置側に付勢する付勢手段と、
前記押圧部材の位置を検出する押圧部材位置検出センサと、
前記押圧部材の裏側から照明を行う押圧部材照明手段と、
を個別に備えることを特徴とする請求項１に記載の遊技機。
【請求項３】
前記スタートボタン及び前記ストップボタンの前記押圧部材照明手段は、発光色として少なくとも中段の横長発光部の押圧部材以外の部分と同色または別色を選択して発光可能であり、
前記発光制御手段は、遊技の進行に応じて発光色を選択して前記押圧部材照明手段を発光させることを特徴とする請求項２に記載の遊技機。
【発明の詳細な説明】
【技術分野】
【０００１】
本発明は、複数種類の図柄を切り換えて表示する遊技機に関する。
【背景技術】
【０００２】
従来、パチスロやスロットマシンと呼ばれる回胴式遊技機は、例えば特許文献１に記載されているように、箱状の筐体と、当該筐体と蝶番機構により開閉可能に取り付けられた前扉とを備えている。この前扉の遊技者に面する側には、映像を表示する液晶表示ユニットや高輝度発光ダイオードを備える演出用照明部等の演出装置が設けられている。従来の回胴式遊技機は、これらの演出装置を用いて遊技の状態に応じて演出を行っている。
【０００３】
【特許文献１】特開２００６−６７１５号公報
【発明の開示】
【発明が解決しようとする課題】
【０００４】
上述した従来の回胴式遊技機の演出用照明部で行える演出の種類は、光源の点滅周期、輝度や発光色を変化させる程度であり、演出の種類が少なく、遊技者の興味を維持するのが困難になってきていた。
【０００５】
本発明は、こうした従来の問題に鑑みてなされたものであり、演出の種類を多彩にし、遊技者に強い影響や印象を与えることができる遊技機を提供することを目的としている。
【課題を解決するための手段】
【０００６】
上述した課題を解決するため、請求項１に記載の発明は、遊技機であって、前方に開口を有する筐体と、前記筐体の内部に配置され、外周面に複数種類の図柄が描かれたリールと、表面が上部パネル部と下部パネル部に区分けされ、前記筐体に対して回動可能に取り付けられることで前記開口を開閉可能な状態で閉塞させる前扉と、前記前扉に設けられ、当該前扉が前記開口を閉塞した状態で前記リールの前方に配置して当該リールを視認可能にする表示窓と、前記前扉の上部パネル部の上側に設けられ、横長形状で長さが当該上部パネル部の上辺と略同幅に形成された上段の横長発光部と、前記前扉の上部パネル部と下部パネル部の間に設けられ、横長形状で長さが上部パネル部または下部パネル部の下辺と略同幅に形成された中段の横長発光部と、前記前扉の下部パネル部の下側に設けられ、横長形状で長さが当該下部パネル部の下辺と略同幅に形成された下段の横長発光部と、前記前扉の上部パネル部の一方の脇に設けられ、縦長形状で縦方向が当該上部パネル部の左辺と略同じ長さに形成された第１の縦長発光部と、前記前扉の上部パネル部の他方の脇に設けられ、縦長形状で縦方向が当該上部パネル部の右辺と略同じ長さに形成された第２の縦長発光部と、前記前扉の下部パネル部の一方の脇に設けられ、縦長形状で縦方向が当該下部パネル部の左辺と略同じ長さに形成された縦長形状の第３の縦長発光部と、前記前扉の下部パネル部の他方の脇に設けられ、縦長形状で縦方向が当該下部パネル部の右辺と略同じ長さに形成された第４の縦長発光部と、前記中段の横長発光部に設けられ、前記リールの回転を開始させる操作を行うためのスタートボタンと、前記中段の横長発光部に設けられ、前記リールの回転を停止させる操作を行うためのストップボタンと、前記上、中、下段の横長発光部、前記第１乃至第４の縦長発光部、前記スタートボタン及び前記ストップボタンを選択的に発光させる発光制御手段と、を備えることを特徴とする。
【０００７】
請求項２に記載の発明は、請求項１に記載の遊技機であって、前記スタートボタン及び前記ストップボタンは、中段の横長発光部に設けられ、表面側から押圧操作を行うことが可能な押圧部材と、前記押圧部材を押圧待機位置から押し込み位置に往復移動自在な状態で保持する保持部材と、前記押圧部材を前記押圧待機位置側に付勢する付勢手段と、前記押圧部材の位置を検出する押圧部材位置検出センサと、前記押圧部材の裏側から照明を行う押圧部材照明手段と、を個別に備えることを特徴とする。
請求項３に記載の発明は、請求項２に記載の遊技機であって、前記スタートボタン及び前記ストップボタンの前記押圧部材照明手段は、発光色として少なくとも中段の横長発光部の押圧部材以外の部分と同色または別色を選択して発光可能であり、前記発光制御手段は、遊技の進行に応じて発光色を選択して前記押圧部材照明手段を発光させることを特徴とする。
【０００８】
請求項１乃至３に記載の遊技機によれば、前扉に設けられた上、中、下段の横長発光部及び第１乃至第４の縦長発光部は、７セグメントディスプレイの各セグメントとして機能し、発光制御手段が前記上、中、下段の横長発光部及び前記第１乃至第４の縦長発光部を選択的に発光させることで、前扉と略同サイズのアラビア数字を表現することができるので、演出の種類を多彩にし、遊技者に強い影響や印象を与えることができる。
【０００９】
請求項２及び３に記載の遊技機によれば、中段の横長発光部に設けた押圧部材をスタートボタン及びストップボタンとして活用することができる。
請求項３に記載の遊技機によれば、遊技の進行に応じて発光色を選択してスタートボタン及びストップボタンの押圧部材照明手段を発光させることができるので、遊技の進行に応じて押圧操作が必要になったボタンの押圧部材を目立つようにすることが可能になる。
【発明の効果】
【００１０】
本発明の遊技機によれば、演出の種類を多彩にし、遊技者に強い影響や印象を与えることができる。
【発明を実施するための最良の形態】
【００１１】
以下、本発明に係る遊技機の好適な一実施形態をスロットマシンを例に図面を参照して説明する。なお、図１はスロットマシン１の外観構造を表した斜視図である。図２はスロットマシン１の外観構造を表した正面図である。図３は前扉３を開放した状態におけるスロットマシン１の内部構造を表した図である。図４はスロットマシン１の制御システムを表したブロック図である。図５は前扉３の分解斜視図である。図６は中段の横長発光部２０２及びその周辺部の前方右斜め上側から見た分解斜視図である。図７は中段の横長発光部２０２及びその周辺部の後方右斜め上側から見た分解斜視図である。図８はスタートボタンユニット４００の分解斜視図である。図９はストップボタンユニット５００の分解斜視図である。図１０は図２のＡ−Ａ線断面図である。図１１は図２のＢ−Ｂ線断面図である。図１２はサブ制御基板４０及び演出装置を示すブロック図である。
【００１２】
図１において、スロットマシン１は、前方に開口を有する略矩形状の箱体である筐体２と、当該筐体２に対して蝶番機構により回動可能に取り付けられることで前記開口を開閉可能な状態で閉塞させる前扉３とを備えている。
【００１３】
図１及び図２において、前扉３の前面側は、上部パネル部４と下部パネル部５に略区分けされ、これらは視覚効果を高めてデザインされたいわゆる化粧板として形成されている。更に、下部パネル部５の下方には、入賞時に払い出されるメダル（遊技媒体）を貯留するメダル受皿６０が一体的に形成されたメダル受皿部６が設けられている。
【００１４】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００１５】
前記前扉３の上部パネル部４の上側には、横長形状で長さが当該上部パネル部４の上辺と略同幅に形成された上段の横長発光部２０１が設けられている。前記前扉３の上部パネル部４と下部パネル部５の間には操作卓７が設けられている。操作卓７の前面には、横長形状で長さが上部パネル部４の下辺と略同幅に形成された中段の横長発光部２０２が設けられている。前記前扉３の下部パネル部５の下側には、横長形状で長さが当該下部パネル部５の下辺と略同幅に形成された下段の横長発光部２０３が設けられている。
【００１６】
前記前扉３の上部パネル部４の左脇及び右脇には、それぞれ縦長形状で縦方向が当該上部パネル部４の左辺及び右辺と略同じ長さに形成された左上及び右上の縦長発光部２０４、２０５が設けられている。
前記前扉３の下部パネル部５の左脇及び右脇には、それぞれ縦長形状で縦方向が当該下部パネル部５の左辺及び右辺と略同じ長さに形成された左下及び右下の縦長発光部２０６、２０７が設けられている。
【００１７】
前記上、中、下段の横長発光部２０１〜２０３及び前記左上、右上、左下、右下の縦長発光部２０４〜２０７は、７セグメントディスプレイの各セグメントとして機能し、後述の発光制御手段が前記上、中、下段の横長発光部２０１〜２０３及び前記左上、右上、左下、右下の縦長発光部２０４〜２０７を選択的に発光させることで、前扉３と略同サイズのアラビア数字を表現することができる。横長発光部２０１〜２０３及び前記左上、右上、左下、右下の縦長発光部２０４〜２０７の長手方向の両端面は、隣り合う発光部と広い接触面で接触し、これら発光部が隙間無く連続して８の字状に配列するようによるように当該発光部の長手方向に対して適宜傾斜して形成されている。
【００１８】
上部パネル部４の中央には、硬質プラスチック板等で形成されたパネル面４１が設けられている。パネル面４１のほぼ中央には略長方形の透明な表示窓４２が形成されている。図１において、表示窓４２は、前扉３が筐体２の開口を閉塞した状態でリールユニット１００の３個のリール１０１ａ、１０１ｂ、１０１の前方に配置して当該リールを視認可能にする。
【００１９】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリール１０１ａ、１０１ｂ、１０１ｃに描かれたそれぞれ上下方向３個の図柄を目視できる。
【００２０】
図１及び図２において、上部パネル部４の上部両端近傍には、ゲームに係る効果音を発生させるスピーカを内蔵する演出用放音部４８ａ、４８ｂが配置されている。
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００２１】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００２２】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２３】
操作卓７の横長発光部２０２の左側部には、リール１０１ａ、１０１ｂ、１０１ｃの回転開始を指示するためのスタートボタン７５が設けられている。
また、操作卓７の横長発光部２０２の中央には、各リール１０１ａ、１０１ｂ、１０１ｃの回転停止をそれぞれ指示するためのストップボタン７６ａ、７６ｂ、７６ｃが各リール１０１ａ、１０１ｂ、１０１ｃの配列に対応して並設されている。
【００２４】
さらに、下部パネル部５の前面の左上隅には、ゲームに賭けられたメダルをキャンセルして払い出させることを指示するとともに、後述するメダルクレジット手段１３５（図４参照）が内部貯留したメダルを精算して払い出させることを指示するための精算ボタン７７が設けられている。
【００２５】
下部パネル部５の前面の右上隅には、前扉３を開錠するための鍵が挿入される鍵穴７８が設けられている。スロットマシン１の管理者等が鍵穴７８に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００２６】
下部パネル部５には、スロットマシン１のモデルタイプを遊技者へ認識させる等のため、登場キャラクターの絵などを表示する表示パネル５１が設けられている。
【００２７】
下部パネル部５の下側に配置されたメダル受皿部６には、入賞時にメダルを払い出すメダル払出口６１と、払い出されたメダルを貯留するメダル受皿６０と、演出効果音を発生させるスピーカを内蔵する左右の演出用放音部６２ａ、６２ｂとが配置されている。
【００２８】
次に、図３を参照して、筐体２の内部構造と前扉３の裏面構造とを説明する。
図３において、筐体２の前方には開口８を有している。この開口８内の上部には、硬質プラスチックの基板ケース８０に収納された主制御基板２０が取付けられている。主制御基板２０は、スロットマシン１の全体動作を集中制御するＣＰＵ（マイコン）を備えている。
【００２９】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３０】
また、リールユニット１００の上部には、各リールを回転駆動する上記ステッピングモータへ４相の駆動パルス信号を送出するリール基板１１０が取り付けられている。主制御基板２０は、リール基板１１０に回胴駆動（励磁）パルスデータを送出することで、各リールの回転と制動及び停止の制御を行っている。
【００３１】
リールユニット１００の下方には、ホッパ装置２１と、ホッパ装置２１から溢れたメダルを収容するための補助貯留部２３と、主電源装置２４が設けられている。主電源装置２４の内部の右側には、いわゆる配電盤に相当する電源装置基板２５が設けられている。
電源ユニット２４は、ハーネスを介してホッパ装置２１及び主制御基板２０等の電気部品と電気的に接続する。また、電源ユニット２４は、前記筐体本体２の壁面に形成された貫通孔９に挿通された電源コード１０を介して筐体本体２の外部から電力が供給され、供給された電力から所定の電圧値の電力を生成してホッパ装置２１及び主制御基板２０等の電気部品に供給する。ホッパ装置２１の前面には、メダルを排出するメダル排出口２２が設けられている。
更に、筐体２の上部右側の内壁には、遊技場に設置されている「ホールコンピュータ」と呼ばれる管理用コンピュータと接続可能な外部集中端子基板２６が取り付けられている。
【００３２】
また、前扉３の裏面側上部には、上述の演出用放音部４８ａ、４８ｂを構成するスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケース９０に収納されたサブ制御基板４０が取り付けられている。
【００３３】
主制御基板２０及びサブ制御基板４０は、スロットマシン１の作動を制御する制御基板である。
サブ制御基板４０の下方には、リール１０１ａ、１０１ｂ、１０１ｃを目視させるための透明な表示窓４２が形成されたパネル板４３が配置されている。表示窓４２の下方には、前面側のスタートボタン７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００３４】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００３５】
メダル選別装置３４の装置本体の下方には、ガイド部材３５と、キャンセルシュート部材３６が設けられている。ガイド部材３５は、メダル選別装置３４によって振り分けられた正規のメダルを筐体２内に設けられているホッパ装置２１へ案内する。キャンセルシュート部材３６は、メダル選別装置３４により排除されたメダル（又は異物）をメダル払出口６１へ案内する。また、前扉３の裏面側下部には、ホッパ装置２１から排出されたメダルをメダル払出口６１へ案内するガイド部材３７が設けられている。
更に、メダル払出口６１に隣接して、上述した演出用放音部６２ａ、６２ｂを構成するスピーカ３８ａ、３８ｂが取り付けられている。
【００３６】
なお、スロットマシン１全体の動作は、筐体２側に設けられている主制御基板２０によって統括制御されており、サブ制御基板４０は、前記上、中、下段の横長発光部２０１〜２０３及び前記左上、右上、左下、右下の縦長発光部２０４〜２０７による発光演出制御、液晶表示装置４９による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００３７】
次に、図４のブロック図を参照して、スロットマシン１に設けられている制御システムについて説明する。
【００３８】
図４において、主制御基板２０は、メインＣＰＵ１２０と、記憶部１２１と、乱数発生器１２２と、Ｉ／Ｆ回路１２３と、ソレノイド駆動回路１２４とを主要構成として備えている。
【００３９】
記憶部１２１は、ＲＯＭ、ＲＡＭ等の半導体メモリによって構成され、主要構成としてプログラムＲＯＭ１３１と制御ＲＡＭ１３２を有している。記憶部１２１のプログラムＲＯＭ１３１には、スロットマシンゲーム用のシステムプログラム１３３が予め記憶されている。主制御基板２０は、記憶部１２１のプログラムＲＯＭ１３１に記憶されたシステムプログラム１３３に従ってメインＣＰＵ１２０が演算処理を実行することで、スロットマシン１全体の動作を統括制御している。
【００４０】
また、記憶部１２１の制御ＲＡＭ１３２にはメダルクレジット手段１３５が設けられている。メダルクレジット手段１３５はスロットマシン１が内部貯留するメダルの数であるクレジットをメモリに記憶する。
【００４１】
また、主制御基板２０のメインＣＰＵ１２０は、中央表示基板３３及び主制御基板２０に設けられたＩ／Ｆ回路１２３を介してベットボタン用センサ１７３、１７４、スタートボタン用センサ１７５、ストップボタン用センサ１７６ａ、１７６ｂ、１７６ｃ、精算ボタン用センサ１７７等の操作ボタン用センサ類からのボタン操作検出信号を受信するとともに、メダル選別装置３４の中央表示基板３３及びＩ／Ｆ回路１２３を介してメダル選別装置３４のメダルセンサ１４１の検出信号を受信する。また、主制御基板２０のメインＣＰＵ１２０には、Ｉ／Ｆ回路１２３を介してソレノイド駆動回路１２４が接続されている。ソレノイド駆動回路１２４は、中央表示基板３３を介してメダル選別装置３４のフラッパータイプソレノイド１４２に駆動電力を供給可能になっている。ベットボタン用センサ１７３、１７４、スタートボタン用センサ１７５、ストップボタン用センサ１７６ａ、１７６ｂ、１７６ｃ、精算ボタン用センサ１７７は、図１に示したベットボタン７３、７４、スタートボタン７５、ストップボタン７６ａ、７６ｂ、７６ｃ、精算ボタン７７の操作を検出するための検出センサであり、本実施形態ではフォトセンサを用いている。
【００４２】
また、主制御基板２０には、電源装置基板２５が接続されている。電源装置基板２５は、主制御基板２０のメインＣＰＵ１２０からＩ／Ｆ回路１２３を介して送信されるコマンドデータに基づいてメダル払出装置であるホッパ装置２１を駆動する。
【００４３】
フラッパータイプソレノイド１４２は、メダル選別装置３４に流下するコインを強制排除する場合に用いられるメダルブロッカを駆動するためのものである。メインＣＰＵ１２０は、主制御基板２０に設けられたソレノイド駆動回路１２４を制御することでソレノイド１４２のオン、オフを行う。
【００４４】
主制御基板２０のメインＣＰＵ１２０は、前記操作ボタン用センサ類やメダル選別装置３４のメダルセンサ１４１からの出力信号によりゲームに係る操作を検出する。
【００４５】
また、主制御基板２０のメインＣＰＵ１２０は、動作モードがメダルベット待機状態となっている場合において、メダルセンサ１４１がメダルを検出した場合、検出したメダルをゲームの賭数に加算する。ここで、メダルベット待機状態とは、１つのゲームが終了した後、当該ゲームにメダルが賭けられるのを待機している状態のことを示している。
【００４６】
また、主制御基板２０のメインＣＰＵ１２０は、動作モードがメダルクレジット入力待機状態となっている場合において、メダルセンサ１４１がメダルを検出した場合、検出したメダルをメダルクレジット手段１３５のクレジットに加算する。メダルクレジット入力待機状態とは、当該ゲームにメダルが賭けられた後、メダルクレジット手段１３５の前記クレジット数が最大値（５０）になるまでの状態のことを示している。
【００４７】
一方、左中右のリール１０１ａ、１０１ｂ、１０１ｃには、リールセンサ１０３ａ、１０３ｂ、１０３ｃが設けられている。
主制御基板２０のメインＣＰＵ１２０は、リール基板１１０及びＩ／Ｆ回路１２３を介してリールセンサ１０３ａ、１０３ｂ、１０３ｃの検出信号を受信し、各リールの基準となる回転位置を把握しながら、Ｉ／Ｆ回路１２３を介して各リール１０１ａ、１０１ｂ、１０１ｃの回転及び停止の動作制御を行っている。
【００４８】
また、主制御基板２０のメインＣＰＵ１２０は、入賞が確定した場合等において、Ｉ／Ｆ回路１２３及び電源装置基板２５を介してホッパ装置２１を制御することで、所定数のメダルをメダル受皿６０に払い出す。
【００４９】
さらに、主制御基板２０のメインＣＰＵ１２０は、精算ボタン７７が操作された場合、ゲームに賭けられたメダルをキャンセルしてホッパ装置２１に払い出させるとともに、メダルクレジット手段１３５が内部貯留したメダルを精算してホッパ装置２１に精算前のクレジット数のメダルを払い出させる。
【００５０】
サブ制御基板４０は、主制御基板２０からの制御信号に基づいてサブリールユニット２００（図１参照）、演出用放音部６２ａ、６２ｂ（図１参照）のスピーカ３８ａ、３８ｂ等の演出装置５０を制御駆動することで、遊技者の視覚や聴覚に訴える演出をゲームの進行に応じて行っている。
【００５１】
一方、主制御基板２０の記憶部１２１のプログラムＲＯＭ１３１には、入賞抽選テーブル１３４が記憶されている。また、記憶部１２１の制御ＲＡＭ１３２には、内部当選した入賞役に対応するフラグを記憶する内部抽選フラグ記憶領域１３６が設定されている。
【００５２】
さらに、記憶部１２１の制御ＲＡＭ１３２には、前記入賞役を抽選する抽選確率の設定を記憶する設定記憶領域１３７が設定されている。
【００５３】
また、主制御基板２０には、乱数値のデータを発生する乱数発生器１２２がメインＣＰＵ１２０に接続した状態で設けられている。乱数発生器１２２は、Ｉ／Ｆ回路１２３と接続しており、Ｉ／Ｆ回路１２３を介したスタートボタン用センサ１７５からの操作検出信号がスタートボタン７５（図１参照）の操作の検出を示したタイミングで乱数を発生される。
【００５４】
メインＣＰＵ１２０は、Ｉ／Ｆ回路１２３からの前記操作検出信号がスタートボタン７５（図１参照）の操作の検出を示すことを契機に乱数発生器１２２から乱数値を取得し、設定記憶領域１３７に記憶された設定に対応する入賞抽選テーブル１３４を参照することで、得られた乱数値に割り当てられた入賞役またはハズレを抽選する。そして、メインＣＰＵ１２０は、乱数値に対応する入賞役が存在すると、それを当該ゲームの入賞役として抽選結果を当選にし、記憶部１２１の内部抽選フラグ記憶領域１３６における当選した入賞役のフラグをオンにする。ここでは、かかる入賞役の抽選方法を「内部抽選」と呼んでいる。
【００５５】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。次に、遊技者がメダル投入部７１にメダルを投入し、もしくは、ベットボタン７４を押圧操作することで、スロットマシン１は、内部に貯留したメダル（クレジット）から当該ゲームに所定枚数（３枚）のメダルが賭けられゲームを準備する。
【００５６】
ゲーム準備の状態でスタートボタン７５が押圧操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ記憶領域１３６に記憶される。
【００５７】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域１３６に記憶された内部抽選の入賞役に係る図柄の組合せとが一致しているかどうか判定する。
【００５８】
これら図柄の組合せが一致し役への入賞が確定すると、スロットマシン１は、主制御基板２０によりメダルクレジット手段１３５の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６０へ払い出す。
【００５９】
次に、図５乃至図１２を参照して本実施形態の要部となる横長発光部２０１〜２０３及び前記左上、右上、左下、右下の縦長発光部２０４〜２０７について説明する。
【００６０】
図５において、上段の横長発光部２０１は、発光基板２１１とランプカバー２２１とから構成されている。中段の横長発光部２０２は、発光基板３１１、３１２と、ランプカバー３２１、３２２と、スタートボタンユニット４００と、ストップボタンユニット５００とから構成されている。下段の横長発光部２０３は、発光基板２１３とランプカバー２２３とから構成されている。左上の縦長発光部２０４は、発光基板２１４とランプカバー２２４とから構成されている。右上の縦長発光部２０５は、発光基板２１５とランプカバー２２５とから構成されている。左下の縦長発光部２０６は、発光基板２１６とランプカバー２２６とから構成されている。右下の縦長発光部２０７は、発光基板２１７とランプカバー２２７とから構成されている。
【００６１】
発光基板２１１は、前記前扉３の上部パネル部４の上側取付部１８１にネジ止固定される。発光基板２１１は、表面に複数のカラー発光ダイオード２３０、２３０…２３０が長手方向に並べて実装されている。発光基板２１１は、ハーネス２３１の一端側が接続されている。ハーネス２３１の他端側は、上側取付部１８１に形成された長孔１９１を介して前扉３の裏側に延出し、図３に示した中央表示基板３３に接続される。
【００６２】
ランプカバー２２１は、透明プラスチック等の透光性を有する素材で形成され、長手方向から見た断面形状が半円形となり、発光基板２１１を覆った状態で上部パネル部４の上側取付部１８１にネジ止固定される。ランプカバー２２１の内側面は、発光基板２１１の発光ダイオードからの光を拡散する微小なレンズを複数並べた拡散面になっている。
【００６３】
発光基板２１３は、発光基板２１１と同様の構造になっている。
発光基板２１４〜２１７は、長手方向のサイズとハーネスの取付位置が発光基板２１１と異なるだけで、それ以外は発光基板２１１と同様の構造になっている。
【００６４】
横長発光部２０２の発光基板３１１、３１２は、前記前扉３の上部パネル部４と下部パネル部５の間の中間取付部１８２にストップボタンユニット５００を挟んだ状態でネジ止固定される。発光基板３１１、３１２は、ハーネス３３５、３４５の一端側が接続されている。ハーネス３３５、３４５の他端側は、中間取付部１８２に形成された長孔６０３、６０４を介して前扉３の裏側に延出し、図３に示した中央表示基板３３に接続される。ランプカバー３２１、３２２は、透明プラスチック等の透光性を有する素材で形成され、長手方向から見た断面形状が半円形となり、発光基板３１１、３２２を覆った状態で中間取付部１８２にネジ止固定される。ランプカバー２２１の内側面は、発光基板２１１の発光ダイオードからの光を拡散する微小なレンズを複数並べた拡散面になっている。
【００６５】
横長発光部２０３の発光基板２１３は、下部パネル部５の下側取付部１８３にネジ止固定される。発光基板２１３は、ハーネス２３３の一端側が接続されている。ハーネス２３３の他端側は、下側取付部１８３に形成された長孔１９３を介して前扉３の裏側に延出し、図３に示した中央表示基板３３に接続される。ランプカバー２２３は、透明プラスチック等の透光性を有する素材で形成され、長手方向から見た断面形状が半円形となり、発光基板２１３を覆った状態で下側取付部１８３にネジ止固定される。ランプカバー２２３の内側面は、ランプカバー２２１と同様の拡散面になっている。
【００６６】
左上、右上、左下、右下の縦長発光部２０４〜２０７の発光基板２１４、２１５、２１６、２１７は、それぞれ上部パネル部４の左右の取付部１８４、１８５、下部パネル部５の左右の取付部１８６、１８７にネジ止固定される。発光基板２１４、２１５、２１６、２１７は、それぞれハーネス２３４、２３５、２３６、２３７の一端側が接続されている。ハーネス２３４、２３５、２３６、２３７の他端側は、それぞれ取付部１８４、１８５、１８６、１８７に形成された長孔１９４、１９５、１９６、１９７を介して前扉３の裏側に延出し、図３に示した中央表示基板３３に接続される。ランプカバー２２４〜２２７は、透明プラスチック等の透光性を有する素材で形成され、長手方向から見た断面形状が半円形となり、それぞれ発光基板２１４〜２１７を覆った状態でそれぞれ取付部１８４〜１８７にネジ止固定される。ランプカバー２２４〜２２７の内側面は、ランプカバー２２１と同様の拡散面になっている。
【００６７】
以下、中段の横長発光部２０２について更に詳細に説明する。
【００６８】
図６において、前記前扉３の中間取付部１８２には、左側から順にネジ挿通孔６２１、ネジ孔６２２、スタートボタンユニット取付部６０１、長孔６０３、ネジ孔６２３、ネジ挿通孔６２４、ストップボタンユニット取付部６０２、ネジ挿通孔６２５、ネジ孔６２６、長孔６０４、ネジ孔６２７、ネジ挿通孔６２８が形成されている。
【００６９】
ネジ挿通孔６２１、６２４、６２５、６２８には、中間取付部１８２の裏側からネジ７０１、７０２、７０３、７０４のネジ部が挿入される。
ネジ孔６２２、６２３、６２６、６２７には、中間取付部１８２の表側から発光基板３１１、３１２のネジ挿通孔３３１、３３２、３４１、３４２に挿通されたネジ７０５、７０６、７０７、７０８のネジ部が螺入される。尚、中間取付部１８２の表面におけるネジ孔６２２、６２３、６２６、６２７の回りには段部が設けられている。この段部は、発光基板３１１、３１２の裏側に突出した端子が中間取付部１８２に接触とないようにするためものである。
【００７０】
横長発光部２０２の発光基板３１１は、印刷配線板３３０の表面に複数の発光ダイオード３３４を実装したものである。
発光基板３１１の印刷配線板３３０の左右両脇には、ネジ挿通孔３３１、３３２が形成されている。ネジ挿通孔３３１、３３２には、それぞれネジ７０５、７０６のネジ部が挿入される。
【００７１】
印刷配線板３３０の板面の左寄りには、スタートボタンユニット挿入用貫通部３３３が形成されている。印刷配線板３３０の表面の右上にはハーネス３３５の一端側が接続されている。ハーネス３３５の他端側は、中間取付部１８２に形成された長孔６０３を介して前扉３の裏側に延出し、図３に示した中央表示基板３３に接続される。
【００７２】
図６において、横長発光部２０２のランプカバー３２１の左寄りには、前後方向に貫通するスタートボタンユニット挿入用貫通部３５１が形成されている。
【００７３】
図７において、ランプカバー３２１の内側面３５２は、光を拡散する微小なレンズを複数並べた拡散面になっている。この内側面３５２には、左右のネジ止め部３５３、３５４が突出して形成されている。左右のネジ止め部３５３、３５４には、ネジ孔３５５、３５６が形成されている。ネジ孔３５５、３５６には、中間取付部１８２のネジ挿通孔６２１、６２４を挿通したネジ７０１、７０２のネジ部が螺入される。
【００７４】
また、ランプカバー３２１の内側面３５２には、スタートボタンユニット挿入用貫通部３５１を上下左右を囲む壁部３５７が形成されている。
【００７５】
図６において、横長発光部２０２の発光基板３１２は、印刷配線板３４０の表面に複数の発光ダイオード３４４を実装したものである。
発光基板３１２の印刷配線板３４０の左右両脇には、ネジ挿通孔３４１、３４２が形成される。ネジ挿通孔３４１、３４２には、それぞれネジ７０７、７０８のネジ部が挿入される。
【００７６】
印刷配線板３４０の表面の左上にはハーネス３４５の一端側が接続されている。ハーネス３４５の他端側は、中間取付部１８２に形成された長孔６０４を介して前扉３の裏側に延出し、図３に示した中央表示基板３３に接続される。
【００７７】
図７において、ランプカバー３２２の内側面３６２は、光を拡散する微小なレンズを複数並べた拡散面になっている。また、この内側面３６２には、左右のネジ止め部３６３、３６４が突出して形成されている。左右のネジ止め部３６３、３６４には、ネジ孔３６５、３６６が形成されている。ネジ孔３６５、３６６には、それぞれ中間取付部１８２のネジ挿通孔６２５、６２８を挿通したネジ７０３、７０４のネジ部が螺入される。
【００７８】
図７において、スタートボタンユニット取付部６０１は、スタートボタンユニット４００が挿入される貫通部６１０と、中間取付部１８２の裏面において貫通部６１０を囲む上下左右の壁部６１１、６１２、６１３、６１４を備えている。左右の壁部６１３、６１４には、前後方向に伸びる溝部６１５、６１６が形成されている。溝部６１５、６１６の後端部には、段部６１７、６１８が形成され、この段部６１７、６１８には、ネジ挿通孔６１９、６２０が形成されている。ネジ挿通孔６１９、６２０には、中間取付部１８２の裏側からそれぞれネジ７０９、７１０のネジ部が挿入される。
【００７９】
スタートボタンユニット４００には、溝部６１５、６１６に挿入するネジ止め部４２１、４２２が形成されている。ネジ止め部４２１、４２２には、ネジ孔４２３、４２４が形成されている。ネジ孔４２３、４２４には、中間取付部１８２のネジ挿通孔６１９、６２０わ挿通したネジ７０９、７１０のネジ部が螺入される。
【００８０】
図７において、ストップボタンユニット取付部６０２は、ストップボタンユニット５００が挿入される貫通部６３０と、中間取付部１８２の裏面の中央部において貫通部６３０を囲む上下左右の壁部６３１、６３２、６３３、６３４を備えている。左右の壁部６３３、６３４には、前後方向に伸びる溝部６３５、６３６が形成されている。溝部６３５、６３６の後端部には、段部６３７、６３８が形成され、この段部６３７、６３８にはネジ挿通孔６３９、６４０が形成されている。ネジ挿通孔６３９、６４０には、中間取付部１８２の裏側からネジ７１１、７１２のネジ部が挿入される。
【００８１】
ストップボタンユニット５００には、前記溝部６３５、６３６に挿入するネジ止め部５２１、５２２が形成されている。ネジ止め部５２１、５２２には、ネジ孔５２３、５２４が形成されている。ネジ孔５２３、５２４には、中間取付部１８２のネジ挿通孔６３９、６４０を挿通したネジ７１１、７１２のネジ部が螺入される。
【００８２】
以下、スタートボタンユニット４００について詳細に説明する。
図８において、スタートボタンユニット４００は、スタートボタン７５と、コイルバネ４０１と、本体ブロック４０２と、センサ基板４０３と、背面カバー４０４と、ネジ４０５、４０６とから構成されている。
【００８３】
スタートボタン７５は、透明プラスチック等の透光性を有する素材で形成され、表面が指により押圧操作される押圧部４５０を備えている。押圧部４５０は、上側及び下側が後方に向けて湾曲した形状に形成されている。押圧部４５０の裏面の中央には、後方に向けて略方形筒状に突出する挿入部４６０が形成されている。押圧部４５０の裏面の上下左右の縁には、後方に向けて略方形筒状に突出する板状部４５１、４５２、４５３、４５４が形成されている。
【００８４】
挿入部４６０は、上下左右の板状部４６１、４６２、４６３、４６４により構成されている。上下の板状部４６１、４６２には、挿入部４６０の内周側に向けて弾性変形可能な係止爪４６５、４６６が形成されている。
左右の板状部４６３、４６４には、後端から中間部に亘ってスリット４６７、４６８が形成されている。
【００８５】
また、挿入部４６０には、後側にコイルバネ４０１が挿入される開口４６９が形成されている。挿入部４６０の中間部の内周には、開口４６９から挿入されたコイルバネ４０１を係止する内側フランジ部４７０が形成される。また、挿入部４６０の板状部４６１には後述のスタートボタン用センサ１７５による検出を可能にするための黒色塗装が施されている。
【００８６】
本体ブロック４０２は、上下左右の板状部４１１、４１２、４１３、４１４により構成され、表面から裏面に貫通する貫通部４１０が形成されている。
【００８７】
上下の板状部４１１、４１２には、後端の左右中間部から板面の中央部に亘って挿入部４６０の係止爪４６５、４６６が挿入されるスリット４１５、４１６が形成されている。上側の板状部４１１の後端の左端には、後述のスタートボタン用センサ１７５の発光部４３４が挿入されるスリット４１７が形成されている。
【００８８】
左右の板状部４１３、４１４には、左右外側に突出してネジ止め部４２１、４２２が形成されている。ネジ止め部４２１、４２２には、それぞれネジ孔４２３、４２４が形成されている。
【００８９】
左右の板状部４１３、４１４には、背面カバー４０４のネジ挿通孔４４６、４４７を挿通したネジ４０５、４０６のネジ部が螺入されるネジ孔４２５、４２６がそれぞれ形成されている。左右の板状部４１３、４１４の内側面には、スタートボタン７５のスリット４６７、４６８に挿入しコイルバネ４０１の後側を係止する突起部４２７、４２８が形成されている。
【００９０】
センサ基板４０３は、印刷配線板４３１にスタートボタン用センサ１７５、複数のカラー発光ダイオード４３２及びコネクタ４３３を実装したものである。スタートボタン用センサ１７５及び複数のカラー発光ダイオード４３２は、コネクタ４３３と電気的に接続している。コネクタ４３３は、中央表示基板３３に接続したハーネスのコネクタと接続する。
【００９１】
スタートボタン用センサ１７５は、発光部４３４と受光部４３５を備えたコ字状のフォトセンサであり、印刷配線板４３１の表面の右上コーナーに取り付けられている。スタートボタン用センサ１７５は、発光部４３４と受光部４３５の間にスタートボタン７５の上側の黒色に塗装された板状部４６１の後端部が挿脱されるようになっている。
【００９２】
印刷配線板４３１の表面の中央には、複数のカラー発光ダイオード４３２が取り付けられている。印刷配線板４３１の裏面の上部には、コネクタ４３３が取り付けられている。
背面カバー４０４は、上下左右の板状部４４１、４４２、４４３、４４４及び背面側の板状部４４５により前面が開口した箱体として形成されたものである。背面カバー４０４の前面の開口４４０は、センサ基板４０３と本体ブロック４０２の後方が挿入される。
【００９３】
左右の板状部４４３、４４４には、ネジ４０５、４０６のネジ部が挿入されるネジ挿通孔４４６、４４７が形成されている。
上側の板状部４４１と背面側の板状部４４５との間には、センサ基板４０３のコネクタ４３３を外部に露出させるための貫通部４４８が形成されている。板状部４４５の前面には、センサ基板４０３の間に隙間を設けるための段部４４９が形成されている。
【００９４】
以下、スタートボタンユニット４００の組み立て方法について説明する。
まず、作業者は、背面カバー４０４の開口４４０に、センサ基板４０３を挿入してから本体ブロック４０２の後方を挿入し、ネジ４０５、４０６のネジ部を背面カバー４０４のネジ挿通孔４４６、４４７に挿入し、本体ブロック４０２のネジ孔４２５、４２６に螺入してネジ４０５、４０６を締めつけることで、背面カバー４０４、センサ基板４０３及び本体ブロック４０２を一体化する。
【００９５】
次に、作業者は、スタートボタン７５の挿入部４６０の開口４６９にコイルバネ４０１を挿入する。
次に、作業者は、コイルバネ４０１を挿入した挿入部４６０を本体ブロック４０２の前側から貫通部４１０に挿入し、挿入部４６０の係止爪４６５、４６６を本体ブロック４０２のスリット４１５、４１６に挿入することで、スタートボタンユニット４００を完成させる。
【００９６】
この状態で、コイルバネ４０１は、前側がスタートボタン７５の内側フランジ部４７０に係止し、後側が本体ブロック４０２を突起部４２７、４２８に係止しており、本体ブロック４０２に対してスタートボタン７５を前方に付勢している。
【００９７】
スタートボタン７５に外部から力を加えない状態では、挿入部４６０の係止爪４６５、４６６が本体ブロック４０２のスリット４１５、４１６に係止し、スタートボタン７５が最も前側の位置で停止する。この状態では、スタートボタン用センサ１７５の発光部４３４と受光部４３５の間には、スタートボタン７５の板状部４６１の後端部が挿入しておらず、スタートボタン用センサ１７５はオフ状態になる。
【００９８】
スタートボタン７５の押圧部４５０を指により押圧操作した場合、挿入部４６０が本体ブロック４０２の貫通部４１０に押し込まれ、挿入部４６０のスリット４６７、４６８の端部が本体ブロック４０２の突起部４２７、４２８が当接した位置で停止する。
【００９９】
この状態では、スタートボタン用センサ１７５の発光部４３４と受光部４３５の間には、スタートボタン７５の板状部４６１の後部が挿入し、スタートボタン用センサ１７５はオン状態になる。スタートボタン用センサ１７５のオン信号は、コネクタ４３３及びこれと接続するハーネス、中央表示基板３３を介して主制御基板２０に送信される。
【０１００】
以下、ストップボタンユニット５００について詳細に説明する。
図９において、ストップボタンユニット５００は、ストップボタン７６ａ、７６ｂ、７６ｃと、コイルバネ５０１ａ、５０１ｂ、５０１ｃと、本体ブロック５０２と、センサ基板５０３と、背面カバー５０４と、ネジ５０５、５０６とから構成されている。
【０１０１】
ストップボタン７６ａは、透明プラスチック等の透光性を有する素材で形成され、表面が指により押圧操作される押圧部５５０を備えている。押圧部５５０は、上側及び下側が後方に向けて湾曲した形状に形成されている。押圧部５５０の裏面の中央には、後方に向けて略方形筒状に突出する挿入部５６０が形成されている。押圧部５５０の裏面の左右の縁には、後方に向けて板状部５５１、５５２が形成されている。
【０１０２】
挿入部５６０は、上下左右の板状部５６１、５６２、５６３、５６４により構成されている。上下の板状部５６１、５６２には、挿入部５６０の内周側に向けて弾性変形可能な係止爪５６５、５６６が形成されている。挿入部５６０の板状部５６１にはストップボタン用センサ１７６ａ、１７６ｂ、１７６ｃによる検出を可能にするための黒色塗装が施されている。
【０１０３】
左右の板状部５６３、５６４には、後端から中間部に亘ってスリット５６７、５６８が形成されている。
尚、残りのストップボタン７６ｂ、７６ｃも、ストップボタン７６ａの構造と同一になっている。
【０１０４】
ストップボタン７６ａ、７６ｂ、７６ｃの挿入部５６０には、後側にコイルバネ５０１ａ、５０１ｂ、５０１ｃが挿入される開口５６９が形成されている。挿入部５６０の中間部の内周には、開口５６９から挿入されたコイルバネ５０１ａ、５０１ｂ、５０１ｃを係止する内側フランジ部５７０（図１０及び図１１参照）が形成される。挿入部５６０の板状部５６１にはストップボタン用センサ１７６ａ、１７６ｂ、１７６ｃによる検出を可能にするための黒色塗装が施されている。
【０１０５】
本体ブロック５０２は、表面から裏面に貫通する３つの貫通部５１０ａ、５１０ｂ、５１０ｃが左右方向に並べて形成されている。貫通部５１０ａ、５１０ｂ、５１０ｃには、それぞれストップボタン７６ａ、７６ｂ、７６ｃの挿入部５６０が挿入される。
【０１０６】
本体ブロック５０２の上側の板状部５１１には、後端から板面の前後の中間部に亘ってストップボタン７６ａ、７６ｂ、７６ｃの挿入部５６０の係止爪５６５が挿入されるスリット５１５ａ、５１５ｂ、５１５ｃが形成されている。本体ブロック５０２の下側の板状部５１２には、後端の左右中間部から板面の前後の中間部に亘ってストップボタン７６ａ、７６ｂ、７６ｃの挿入部５６０の係止爪５６６が挿入されるスリット５１６ａ、５１６ｂ、５６ｃが形成されている。上側の板状部５１１の後端のスリット５１５ａ、５１５ｂ、５１５ｃより左側には、ストップボタン用センサ１７６ａ、１７６ｂ、１７６ｃの発光部５３４が挿入されるスリット５１７ａ、５１７ｂ、５１７ｃが形成されている。
【０１０７】
図１１において、本体ブロック５０２の裏面における貫通部５１０ａ、５１０ｂ、５１０ｃの間の隔壁５１８ａ、５１８ｂには、背面カバー５０４のネジ挿通孔５４６、５４７及びセンサ基板５０３のネジ挿通孔５３６、５３７を挿通したネジ５０５、５０６のネジ部が螺入されるネジ孔５１９ａ、５１９ｂが形成されている。
【０１０８】
図９において、左右の板状部５１３、５１４には、左右外側に突出してネジ止め部５２１、５２２が形成されている。ネジ止め部５２１、５２２には、それぞれネジ孔５２３、５２４が形成されている。
【０１０９】
図１１において、貫通部５１０ａ、５１０ｂ、５１０ｃの左側の内側面には、ストップボタン７６ａ、７６ｂ、７６ｃのスリット５６７に挿入しコイルバネ５０１ａ、５０１ｂ、５０１ｃの後側を係止する突起部５２７ａ、５２７ｂ、５２７ｃが形成されている。
【０１１０】
貫通部５１０ａ、５１０ｂ、５１０ｃの右側の内側面には、ストップボタン７６ａ、７６ｂ、７６ｃのスリット５６８に挿入しコイルバネ５０１ａ、５０１ｂ、５０１ｃの後側を係止する突起部５２８ａ、５２８ｂ、５２８ｃが形成されている。
【０１１１】
図９及び図１１において、本体ブロック５０２の前面における貫通部５１０ａ、５１０ｂ、５１０ｃの間には、ストップボタン用センサ１７６ａ、１７６ｂ、１７６ｃの隣り合う板状部５５２、５５１が挿入される溝部５２９、５３０が形成されている。
【０１１２】
図９において、センサ基板５０３は、印刷配線板５３１にストップボタン用センサ１７６ａ、１７６ｂ、１７６ｃ、複数のカラー発光ダイオード５３２ａ、５３２ｂ、５３２ｃ及びコネクタ５３３を実装したものである。印刷配線板５３１には、ネジ５０５、５０６のネジ部が挿入されるネジ挿通孔５３６、５３７が形成されている。
【０１１３】
ストップボタン用センサ１７６ａ、１７６ｂ、１７６ｃは、印刷配線板５３１の表面の上側に等間隔で並べて取り付けられている。
【０１１４】
ストップボタン用センサ１７６ａ、１７６ｂ、１７６ｃは、発光部５３４と受光部５３５を備えたコ字状のフォトセンサであり、印刷配線板５３１の表面の上辺近傍に並べて取り付けられている。ストップボタン用センサ１７６ａ、１７６ｂ、１７６ｃは、発光部５３４と受光部５３５の間にストップボタン７６ａ、７６ｂ、７６ｃの上側の黒色に塗装された板状部５６１の後端部が挿脱されるようになっている。
【０１１５】
印刷配線板５３１の表面における本体ブロック５０２の貫通部５１０ａ、５１０ｂ、５１０ｃの中央に対応する位置には、複数のカラー発光ダイオード５３２ａ、５３２ｂ、５３２ｃが取り付けられている。印刷配線板５３１の裏面の上部には、コネクタ５３３が取り付けられている。コネクタ５３３は、中央表示基板３３に接続したハーネスのコネクタと接続する。ストップボタン用センサ１７６ａ、１７６ｂ、１７６ｃ及び複数のカラー発光ダイオード５３２ａ、５３２ｂ、５３２ｃは、コネクタ５３３と電気的に接続している。
【０１１６】
背面カバー５０４は、上下左右の板状部５４１、５４２、５４３、５４４及び背面側の板状部５４５により前面が開口した箱体として形成されたものである。背面カバー５０４の前面の開口５４０は、センサ基板５０３と本体ブロック５０２の後方が挿入される。
【０１１７】
背面側の板状部５４５には、ネジ５０５、５０６のネジ部が挿入されるネジ挿通孔５４６、５４７が形成されている。
【０１１８】
上側の板状部５４１と背面側の板状部５４５との間には、センサ基板５０３のコネクタ５３３を外部に露出させるための貫通部５４８が形成されている。板状部５４５の前面には、センサ基板５０３の間に隙間を設けるための段部５４９が形成されている。
【０１１９】
以下、ストップボタンユニット５００の組み立て方法について説明する。
【０１２０】
まず、作業者は、図９に示す背面カバー５０４の開口５４０に、センサ基板５０３を挿入し、続いて本体ブロック５０２の後方を挿入し、ネジ５０５、５０６のネジ部を背面カバー５０４のネジ挿通孔５４６、５４７及びセンサ基板５０３のネジ挿通孔５３６、５３７に挿入し、本体ブロック５０２のネジ孔５１９ａ、５１９ｂに螺入してネジ５０５、５０６を締めつけることで、背面カバー５０４、センサ基板５０３及び本体ブロック５０２を一体化する。
【０１２１】
次に、作業者は、ストップボタン７６ａ、７６ｂ、７６ｃの挿入部５６０の開口５６９にコイルバネ５０１ａ、５０１ｂ、５０１ｃを挿入する。
【０１２２】
次に、作業者は、ストップボタン７６ａ、７６ｂ、７６ｃのコイルバネ５０１ａ、５０１ｂ、５０１ｃを挿入した挿入部５６０をそれぞれ本体ブロック５０２の前側から貫通部５１０ａ、５１０ｂ、５１０ｃに挿入し、それぞれ挿入部５６０の係止爪５６５、５６６を本体ブロック５０２のスリット５１５ａ、５１５ｂ、５１５ｃ、５１６ａ、５１６ｂ、５１６ｃに挿入することで、ストップボタンユニット５００を完成させる。
【０１２３】
この状態で、コイルバネ５０１ａ、５０１ｂ、５０１ｃは、前側がストップボタン７６ａ、７６ｂ、７６ｃの内側フランジ部５７０に係止し、後側が本体ブロック５０２の突起部５２７ａ、５２７ｂ、５２７ｃ、５２８ａ、５２８ｂ、５２８ｃに係止しており、本体ブロック５０２に対してストップボタン７６ａ、７６ｂ、７６ｃを前方に付勢している。
【０１２４】
ストップボタン７６ａ、７６ｂ、７６ｃに外部から力を加えない状態では、挿入部５６０の係止爪５６５、５６６が本体ブロック５０２の各スリット５１５ａ、５１６ａ、５１５ｂ、５１６ｂ、５１５ｃ、５１６ｃに係止し、ストップボタン７６ａ、７６ｂ、７６ｃが最も前側の位置で停止する。この状態では、ストップボタン用センサ１７６ａ、１７６ｂ、１７６ｃの発光部５３４と受光部５３５の間には、ストップボタン７６ａ、７６ｂ、７６ｃの板状部５６１の後端部が挿入しておらず、ストップボタン用センサ１７６ａ、１７６ｂ、１７６ｃはオフ状態になる。
【０１２５】
ストップボタン７６ａ、７６ｂ、７６ｃのいずれかの押圧部５５０を指により押圧操作した場合、押圧操作したストップボタンの挿入部５６０が本体ブロック５０２の貫通部（貫通部５１０ａ、５１０ｂ、５１０ｃの内、押圧操作したストップボタンを挿入した貫通部）に押し込まれ、挿入部５６０のスリット５６７、５６８の閉塞側端部が本体ブロック５０２の突起部（突起部５２７ａ、５２７ｂ、５２７ｃ、５２８ａ、５２８ｂ、５２８ｃの内、押圧操作したストップボタンに対応する突起部）が当接した位置で停止する。
【０１２６】
この状態では、ストップボタン用センサ（ストップボタン用センサ１７６ａ、１７６ｂ、１７６ｃの内、押圧操作したストップボタンに対応するストップボタン用センサ）の発光部５３４と受光部５３５の間には、押圧操作したストップボタンの板状部５６１の後部が挿入し、対応するストップボタン用センサはオン状態になる。ストップボタン用センサのオン信号は、コネクタ５３３及びこれと接続するハーネス、中央表示基板３３を介して主制御基板２０に送信される。
【０１２７】
以下、中段の横長発光部２０２の組み立て方法について更に詳細に説明する。
【０１２８】
中段の横長発光部２０２の組み立てる場合、まず、作業者は、図６に示す中間取付部１８２の表側からスタートボタンユニット取付部６０１の貫通部６１０にスタートボタンユニット４００の後方を挿入し、図７に示す中間取付部１８２の裏側からネジ７０９、７１０のネジ部を段部６１７、６１８のネジ挿通孔６１９、６２０に挿入し、スタートボタンユニット４００のネジ止め部４２１、４２２のネジ孔４２３、４２４にネジ７０９、７１０のネジ部を螺入してネジ７０９、７１０を締めつける。
これにより、中間取付部１８２のスタートボタンユニット取付部６０１には、スタートボタンユニット４００がネジ止め固定される。
【０１２９】
次に、作業者は、図６に示す中間取付部１８２の表側からストップボタンユニット取付部６０２の貫通部６３０にストップボタンユニット５００の後方を挿入し、図７に示す中間取付部１８２の裏側からネジ７１１、７１２のネジ部を段部６３７、６３８のネジ挿通孔６３９、６４０に挿入し、ストップボタンユニット５００のネジ止め部５２１、５２２のネジ孔５２３、５２４にネジ７１１、７１２のネジ部を螺入してネジ７１１、７１２を締めつける。
【０１３０】
これにより、中間取付部１８２のストップボタンユニット取付部６０２には、ストップボタンユニット５００がネジ止め固定される。
【０１３１】
次に、作業者は、図６に示す中間取付部１８２の表側において、発光基板３１１のスタートボタンユニット挿入用貫通部３３３にスタートボタンユニット４００の前側を挿通し、発光基板３１１のハーネス３３５の他端側を中間取付部１８２に形成された長孔６０３に挿入し、発光基板３１１のネジ挿通孔３３１、３３２にそれぞれネジ７０５、７０６のネジ部が挿入し、中間取付部１８２のネジ孔６２２、６２３にネジ７０５、７０６のネジ部を螺入してネジ７０５、７０６を締めつけることで、中間取付部１８２に発光基板３１１をネジ止め固定する。
【０１３２】
次に、作業者は、図６に示す中間取付部１８２の表側において、ランプカバー３２１のスタートボタンユニット挿入用貫通部３５１にスタートボタンユニット４００のスタートボタン７５を挿入する。
【０１３３】
次に、作業者は、図７に示す中間取付部１８２の裏側から中間取付部１８２の裏側からネジ７０１、７０２のネジ部をネジ挿通孔６２１、６２４（図６参照）に挿入し、ランプカバー３２１の内側面３５２のネジ孔３５５、３５６にネジ７０１、７０２のネジ部を螺入してネジ７０１、７０２を締めつけることでランプカバー３２１を中間取付部１８２にネジ止め固定する。
【０１３４】
次に、作業者は、図６に示す中間取付部１８２の表側から発光基板３１２のハーネス３４５の他端側を中間取付部１８２に形成された長孔６０４に挿入し、発光基板３１２のネジ挿通孔３４１、３４２にそれぞれネジ７０７、７０８のネジ部が挿入し、中間取付部１８２のネジ孔６２６、６２７にネジ７０７、７０８のネジ部を螺入してネジ７０７、７０８を締めつけることで、中間取付部１８２に発光基板３１２をネジ止め固定する。
【０１３５】
次に、作業者は、図７に示す中間取付部１８２の裏側からネジ７０３、７０４のネジ部をネジ挿通孔６２５、６２８に挿入し、ランプカバー３２２の内側面３６２のネジ孔３６５、３６６にネジ７０３、７０４のネジ部を螺入して締めつけることでランプカバー３２２を中間取付部１８２にネジ止め固定する。
【０１３６】
以下の作業により、中段の横長発光部２０２の組み立てが完了する。
【０１３７】
次に、図１２のブロック図を参照して、サブ制御基板４０について説明する。
図１２において、サブ制御基板４０は、ＣＰＵ９２０と、記憶部９２１と、乱数発生器９２２と、Ｉ／Ｆ回路９２３と、音源ＩＣ９２４と、音源ＲＯＭ９２５と、アンプ９２６と、画像制御ＩＣ９２７と、画像ＲＯＭ９２８と、ビデオＲＡＭ９２９とを備えている。
【０１３８】
【０１３９】
記憶部９２１は、主要構成としてＲＯＭ９３１とＲＡＭ９３２を有している。記憶部９２１のＲＯＭ９３１には、スロットマシンゲーム用の演出プログラムが予め記憶されている。サブ制御基板４０は、主制御基板２０からコマンドデータを受信したタイミングで乱数発生器９２２から乱数を取得し、記憶部９２１のＲＯＭ９３１に記憶された前記乱数に対応するデータに従ってＣＰＵ９２０が演算処理を実行することで、スロットマシン１の演出を制御している。
【０１４０】
また、サブ制御基板４０には、スピーカ３２ａ、３２ｂ、３８ａ、３８ｂ及び液晶表示装置４９がハーネスを介して接続される。さらにサブ制御基板４０のＩ／Ｆ回路９２３には、ハーネスを介して中央表示基板３３が接続されている。中央表示基板３３には、スタートボタンユニット４００のセンサ基板４０３に設けられた複数のカラー発光ダイオード４３２、ストップボタンユニット５００のセンサ基板５０３に設けられた複数のカラー発光ダイオード５３２ａ、５３２ｂ、５３２ｃ、発光基板３１１、３１２の複数のカラー発光ダイオード３３４、３４４及び発光基板２１１、２１３、２１４〜２１７の複数のカラー発光ダイオード２３０と接続している。
【０１４１】
サブ制御基板４０のＣＰＵ９２０は、前記取得した乱数に対応する演出内容のデータに従って発光制御用のコマンドデータをＩ／Ｆ回路９２３を介して中央表示基板３３に送信する。中央表示基板３３は、サブ制御基板４０からのコマンドデータに基づいて複数のカラー発光ダイオード３３４、３４４、５３２ａ、５３２ｂ、５３２ｃ、２３０に電力を供給して駆動し、カラー発光ダイオード３３４、３４４、５３２ａ、５３２ｂ、５３２ｃ、２３０をコマンドデータに対応した輝度とカラーバランスで発光させる。
【０１４２】
また、サブ制御基板４０のＣＰＵ９２０は、前記取得した乱数に対応する演出内容のデータに従って音源ＩＣ９２４にコマンドを送信し、音源ＩＣ９２４は、受信したコマンドに基づいて音源ＲＯＭ９２５に記憶したデータを読み出して音声信号を生成し、アンプ９２６に送信する。アンプ９２６は、音源ＩＣ９２４から受信した音声信号を増幅しスピーカ３２ａ、３２ｂ、３８ａ、３８ｂから音声出力させる。
【０１４３】
また、サブ制御基板４０のＣＰＵ９２０は、前記取得した乱数に対応する演出内容のデータに従って画像制御ＩＣ９２７にコマンドを送信し、画像制御ＩＣ９２７は、受信したコマンドに基づいて画像ＲＯＭ９２８に記憶したデータを読み出してビデオＲＡＭ９２９に一旦記憶して合成し、映像信号として液晶表示装置４９に送信する。
【０１４４】
液晶表示装置４９は、サブ制御基板４０から受信した映像信号をその画面に表示する。
【０１４５】
以下、前記上、中、下段の横長発光部２０１〜２０３及び前記左上、右上、左下、右下の縦長発光部２０４〜２０７の具体的な動作について説明する。
【０１４６】
図１に示すスロットマシン１が待機の状態にある場合、図１２に示すサブ制御基板４０のＣＰＵ９２０は、前記上、中、下段の横長発光部２０１〜２０３及び前記左上、右上、左下、右下の縦長発光部２０４〜２０７の複数のカラー発光ダイオード２３０、３３４、３４４、４３２、５３２ａ、５３２ｂ、５３２ｃを消灯状態にしている。
【０１４７】
メダル投入部７１にメダルが投入されると、サブ制御基板４０のＣＰＵ９２０は、スタートボタンユニット４００の複数のカラー発光ダイオード４３２を第１の色（例えば緑色）で発光させることで、複数のカラー発光ダイオード４３２からの光がスタートボタン７５の内側面で拡散され、スタートボタン７５が第１の色（例えば緑色）で輝く。
【０１４８】
この状態で、スタートボタン７５が押圧操作されゲームが開始されると、図１２に示すサブ制御基板４０のＣＰＵ９２０は、主制御基板２０の内部抽選と抽選結果とサブ制御基板４０で取得した乱数に応じて以下、第１及び第２の演出状態を含む各種演出状態を選択する。
【０１４９】
第１の演出状態は、比較的大当たりの期待度が低い演出であり、サブ制御基板４０は、発光部２０１、２０３、２０４〜２０７の発光基板２１１、２１３、２１４〜２１７のカラー発光ダイオード２３０及び発光部２０２の複数のカラー発光ダイオード３３４、３４４、スタートボタンユニット４００の複数のカラー発光ダイオード４３２を第２の色（例えば青色）で発光させ、ストップボタンユニット５００の複数のカラー発光ダイオード５３２ａ、５３２ｂ、５３２ｃを第３の色（例えば赤色）で発光させる。これにより発光部２０１、２０３、２０４〜２０７のランプカバー２２１、２２３、２２４〜２２７及び発光部２０２のランプカバー３２１、３２２、スタートボタンユニット４００のスタートボタン７５が第２の色（例えば青色）で輝き、前扉３全体として８の数字が表示されるとともに、ストップボタンユニット５００のストップボタン７６ａ、７６ｂ、７６ｃが第３の色（例えば赤色）で輝く。
【０１５０】
この後、ストップボタン７６ａ、７６ｂ、７６ｃを押圧操作すると、サブ制御基板４０は、ストップボタン７６ａ、７６ｂ、７６ｃの裏側の複数のカラー発光ダイオード５３２ａ、５３２ｂ、５３２ｃの内、押圧操作されたストップボタンに対応するカラー発光ダイオードの発光色を発光部２０２のランプカバー３２１、３２２と同じ第２の色（例えば青色）に切り換える。
【０１５１】
第２の演出状態は、大当たりの期待度が比較的高い演出であり、サブ制御基板４０は、発光部２０１、２０５、２０７のカラー発光ダイオード２３０を第３の色（例えば赤色）で発光させ、ストップボタンユニット５００の複数のカラー発光ダイオード５３２ａ、５３２ｂ、５３２ｃを第３の色（例えば赤色）で発光させ、発光部２０３、２０４、２０６の発光基板２１３、２２４、２１６のカラー発光ダイオード２３０及び発光部２０２の発光基板３１１、３１２の複数のカラー発光ダイオード３３４、３４４、スタートボタンユニット４００のセンサ基板４０３の複数のカラー発光ダイオード４３２を消灯させる。
【０１５２】
これにより、発光部２０１、２０５、２０７のランプカバー２２１、２２５、２２７が第３の色（例えば赤色）で輝き、発光部２０３、２０４、２０６のランプカバー２２３、２２４、２２６及び発光部２０２のランプカバー３２１、３２２、スタートボタンユニット４００のスタートボタン７５が消灯して、前扉３全体として７の数字が表示されるとともに、操作可能なストップボタンユニット５００のストップボタン７６ａ、７６ｂ、７６ｃが第３の色（例えば赤色）で輝く。
【０１５３】
この後、ストップボタン７６ａ、７６ｂ、７６ｃを押圧操作すると、サブ制御基板４０は、ストップボタン７６ａ、７６ｂ、７６ｃの裏側の複数のカラー発光ダイオード５３２ａ、５３２ｂ、５３２ｃの内、押圧操作されたストップボタンを対応するカラー発光ダイオードを発光部２０２のランプカバー３２１、３２２と同様に消灯した状態にする。
【０１５４】
このように、発光部２０１、２０３、２０４〜２０７のランプカバー２２１、２２３、２２４〜２２７及び発光部２０２のランプカバー３２１、３２２に対応するカラー発光ダイオードの発光のオンオフ及び発光色の選択することで、大当たりの期待値に応じて前扉３全体として０から９までの数字や文字を表示できる。
【０１５５】
以上に説明した本実施形態の構成及び動作を纏めて説明すると、上段の横長発光部２０１は、前記前扉３の上部パネル部４の下側に設けられ、横長形状で長さが当該上部パネル部４の上辺と略同幅に形成されている。
【０１５６】
中段の横長発光部２０２は、前記前扉３の上部パネル部４と下部パネル部５の間に設けられ、横長形状で長さが上部パネル部４または下部パネル部５の下辺と略同幅に形成されている。
【０１５７】
下段の横長発光部２０３は、前記前扉３の下部パネル部５の下側に設けられ、横長形状で長さが当該下部パネル部５の下辺と略同幅に形成されている。
左上の縦長発光部２０４は、前記前扉３の上部パネル部４の一方の脇に設けられ、縦長形状で縦方向が当該上部パネル部４の左辺と略同じ長さに形成された第１の縦長発光部となっている。
【０１５８】
右上の縦長発光部２０５は、前記前扉３の上部パネル部４の他方の脇に設けられ、縦長形状で縦方向が当該上部パネル部４の右辺と略同じ長さに形成された第２の縦長発光部となっている。
【０１５９】
左下の縦長発光部２０６は、前記前扉３の下部パネル部５の一方の脇に設けられ、縦長形状で縦方向が当該下部パネル部５の左辺と略同じ長さに形成された第３の縦長発光部となっている。
【０１６０】
右下の縦長発光部２０７は、前記前扉３の下部パネル部５の他方の脇に設けられ、縦長形状で縦方向が当該下部パネル部５の右辺と略同じ長さに形成された第４の縦長発光部となっている。
スタートボタン７５は、前記リール１０１ａ、１０１ｂ、１０１の回転を開始させる操作を行うためのものであり、前記中段の横長発光部２０２に設けられている。
ストップボタン７６ａ、７６ｂ、７６ｃは、前記３個のリール１０１ａ、１０１ｂ、１０１の回転を停止させる操作を行うためのものであり、前記中段の横長発光部２０２に設けられている。
【０１６１】
主制御基板２０及びサブ制御基板４０は、前記上、中、下段の横長発光部２０１〜２０３、前記左上、右上、左下、右下の縦長発光部２０４〜２０７、スタートボタン７５及びストップボタン７６ａ、７６ｂ、７６ｃを選択的に発光させる発光制御手段になっている。
【０１６２】
スタートボタン７５及びストップボタン７６ａ、７６ｂ、７６ｃは、中段の横長発光部２０２に設けられ、表面側から押圧操作を行うことが可能な押圧部材になっている。
スタートボタンユニット４００の本体ブロック４０２は、スタートボタン７５を押圧待機位置から押し込み位置に往復移動自在な状態で保持する保持部材となっている。
【０１６３】
ストップボタンユニット５００の本体ブロック５０２は、それぞれストップボタン７６ａ、７６ｂ、７６ｃを押圧待機位置から押し込み位置に往復移動自在な状態で保持する保持部材となっている。
【０１６４】
スタートボタンユニット４００のコイルバネ４０１とストップボタンユニット５００のコイルバネ５０１ａ、５０１ｂ、５０１ｃは、それぞれスタートボタン７５及びストップボタン７６ａ、７６ｂ、７６ｃを前記押圧待機位置側に付勢する付勢手段になっている。
【０１６５】
スタートボタンユニット４００のスタートボタン用センサ１７５、ストップボタンユニット５００のストップボタン用センサ１７６ａ、１７６ｂ、１７６ｃは、それぞれスタートボタン７５及びストップボタン７６ａ、７６ｂ、７６ｃの位置を検出する押圧部材位置検出センサとなっている。
【０１６６】
スタートボタンユニット４００の複数のカラー発光ダイオード４３２、ストップボタンユニット５００の複数のカラー発光ダイオード５３２ａ、５３２ｂ、５３２ｃは、それぞれ前記スタートボタン用センサ１７５、ストップボタン用センサ１７６ａ、１７６ｂ、１７６ｃの裏側から照明を行う押圧部材照明手段となっている。
【０１６７】
スタートボタンユニット４００の複数のカラー発光ダイオード４３２、ストップボタンユニット５００の複数のカラー発光ダイオード５３２ａ、５３２ｂ、５３２ｃは、発光色として少なくとも中段の横長発光部２０２の押圧部材以外の部分のランプカバー３２１、３２２と同色または別色を選択して発光可能である。
【０１６８】
主制御基板２０及びサブ制御基板４０は、遊技の進行に応じて発光色を選択してスタートボタンユニット４００の複数のカラー発光ダイオード４３２、ストップボタンユニット５００の複数のカラー発光ダイオード５３２ａ、５３２ｂ、５３２ｃを発光させる。
【０１６９】
かかる構成のスロットマシン１によれば、前扉３に設けられた前記上、中、下段の横長発光部２０１〜２０３及び前記左上、右上、左下、右下の縦長発光部２０４〜２０７は、それぞれ７セグメントディスプレイの各セグメントとして機能し、主制御基板２０及びサブ制御基板４０が前記上、中、下段の横長発光部２０１〜２０３及び前記左上、右上、左下、右下の縦長発光部２０４〜２０７を選択的に発光させることで、前扉３と略同サイズのアラビア数字を表現することができるので、演出の種類を多彩にし、遊技者に強い影響や印象を与えることができる。これに加えて、このような構成のスロットマシン１を遊技施設の複数並べて配置し、複数のスロットマシン１の発光部２０１、２０２…２０７を連動して７セグ表示させることで、遊技者により強い影響や印象を与えることができる。
【０１７０】
また、スロットマシン１によれば、中段の横長発光部２０２に設けた押圧部材をスタートボタン７５及びストップボタン７６ａ、７６ｂ、７６ｃとして活用することができる。
【０１７１】
また、かかる構成のスロットマシン１によれば、主制御基板２０及びサブ制御基板４０は、遊技の進行に応じて発光色を選択してスタートボタンユニット４００の複数のカラー発光ダイオード４３２、ストップボタンユニット５００の複数のカラー発光ダイオード５３２ａ、５３２ｂ、５３２ｃを発光させることができるので、スタートボタン７５及びストップボタン７６ａ、７６ｂ、７６ｃの内、遊技の進行に応じて押圧操作が必要になったボタンを目立つようにすることが可能になる。
【０１７２】
また、スロットマシン１によれば、下段の横長発光部２０３により、メダル受皿部６のメダル受皿６０を照明することも可能である。
【０１７３】
尚、図１乃至図１２に示した実施形態では、本発明をスロットマシンに適用したが、メダルを使用するアレンジボール、雀球遊技機等の他の遊技機に応用することができる。
【図面の簡単な説明】
【０１７４】
【図１】図１は、本発明の一実施形態によるスロットマシンの外観構造を表した斜視図である。
【図２】図２は、本発明の一実施形態によるスロットマシンの外観構造を表した正面図である。
【図３】図３は、本発明の一実施形態による前扉３を開放した状態におけるスロットマシンの内部構造を表した図である。
【図４】図４は、本発明の一実施形態によるスロットマシンの制御システムを表したブロック図である。
【図５】図５は、本発明の一実施形態による前扉の分解斜視図である。
【図６】図６は、本発明の一実施形態による中段の横長発光部及びその周辺部の前方右斜め上側から見た分解斜視図である。
【図７】図７は、本発明の一実施形態による中段の横長発光部及びその周辺部の後方右斜め上側から見た分解斜視図である。
【図８】図８は、本発明の一実施形態によるスタートボタンユニットの分解斜視図である。
【図９】図９は、本発明の一実施形態によるストップボタンユニットの分解斜視図である。
【図１０】図１０は、本発明の一実施形態による図２のＡ−Ａ線断面図である。
【図１１】図１１は、本発明の一実施形態による図２のＢ−Ｂ線断面図である。
【図１２】図１２は、本発明の一実施形態によるはサブ制御基板及び演出装置を示すブロック図である。
【符号の説明】
【０１７５】
１…スロットマシン、２…筐体、３…前扉、４…上部パネル部、
５…下部パネル部、６…メダル受皿部、
７…操作卓、８…開口、２０…主制御基板、２１…ホッパ装置、
２３…補助貯留部、２４…主電源装置、２５…電源装置基板、
２６…外部集中端子基板、３０…発光駆動部、
３２ａ、３２ｂ…スピーカ、３３…中央表示基板、
３４…メダル選別装置、３５…ガイド部材、
３６…キャンセルシュート部材、３７…ガイド部材、
３８ａ、３８ｂ…スピーカ、
４０…サブ制御基板、４１…パネル面、
４２…表示窓、４３…パネル板、４８ａ、４８ｂ…演出用放音部、
４９…液晶表示装置、４９ａ…表示窓、５０…演出装置、
５１…表示パネル、６０…メダル受皿、６１…メダル払出口、
６２ａ、６２ｂ…左右の演出用放音部、７１…メダル投入部、
７２…メダル投入口、７３、７４…ベットボタン、
７５…スタートボタン、７６ａ、７６ｂ、７６ｃ…ストップボタン、
７７…精算ボタン、７８…鍵穴、１００…リールユニット、
１０１ａ、１０１ｂ、１０１ｃ…リール、
１０２ａ、１０２ｂ、１０２ｃ…リールモータ、
１０３ａ、１０３ｂ、１０３ｃ…リールセンサ、１１０…リール基板、
１２０…メインＣＰＵ、１２１…記憶部、１２２…乱数発生器、
１２３…Ｉ／Ｆ回路、１２４…ソレノイド駆動回路、
１３１…プログラムＲＯＭ、１３２…制御ＲＡＭ、
１３３…システムプログラム、１３４…入賞抽選テーブル、
１３６…内部抽選フラグ記憶領域、１３７…設定記憶領域、
１３５…メダルクレジット手段、１４１…メダルセンサ、
１４２…フラッパータイプソレノイド、
１７３、１７４…ベットボタン用センサ、１７５…スタートボタン用センサ、
１７６ａ、１７６ｂ、１７６ｃ…ストップボタン用センサ、
１７７…精算ボタン用センサ、
１８１、１８２、１８３、１８４、１８５、１８６、１８７…取付部、
１９１、１９３，１９４、１９５、１９６、１９７…長孔、
２０１、２０２、２０３…横長発光部、
２０４、２０５、２０６、２０７…縦長発光部、
２１１、２１３、２１４、２１５、２１６、２１７…発光基板、
２２１、２２３、２２４、２２５、２２６、２２７…ランプカバー、
２３０…カラー発光ダイオード、
２３１、２３３、２３４、２３５、２３６、２３７…ハーネス、
３１１、３１２…発光基板、３２１、３２２…ランプカバー、
３３１、３３２、３４１、３４２…ネジ挿通孔、
３３３…スタートボタンユニット挿入用貫通部、
３３４、３４４…発光ダイオード、３３５、３４５…ハーネス、
３５１…スタートボタンユニット挿入用貫通部、３５２…内側面、
３５３、３５４…ネジ止め部、３５５、３５６…ネジ孔、
３５７…壁部、３６２…内側面、３６３、３６４…ネジ止め部、
３６５、３６６…ネジ孔、４００…スタートボタンユニット、
４０１…コイルバネ、４０２…本体ブロック、４０３…センサ基板、
４０４…背面カバー、４０５、４０６…ネジ、４１０…貫通部、
４１１、４１２、４１３、４１４…板状部、４１５、４１６、
４１７…スリット、４２１、４２２…ネジ止め部、
４２３、４２４…ネジ孔、４２５、４２６…ネジ孔、
４２７、４２８…突起部、４３１…印刷配線板、
４３２…カラー発光ダイオード、４３３…コネクタ、
４３４…発光部、４３５…受光部、４３２…カラー発光ダイオード、
４４１、４４２、４４３、４４４…板状部、４４５…板状部、
４４６、４４７…ネジ挿通孔、４４８…貫通部、４４９…段部、
４５０…押圧部、４６０…挿入部、
４５１、４５２、４５３、４５４…板状部、
４６１、４６２、４６３、４６４…板状部、４６５、４６６…係止爪、
４６７、４６８…スリット、４６９…開口、
４７０…内側フランジ部、５００…ストップボタンユニット、
５０１ａ、５０１ｂ、５０１ｃ…コイルバネ、５０２…本体ブロック、
５０３…センサ基板、５０４…背面カバー、
５０５、５０６…ネジ、５１０ａ、５１０ｂ、５１０ｃ…貫通部、
５１１、５１２、５１３、５１４…板状部、５１５ａ、
５１５ｂ、５１５ｃ…スリット、
５１６ａ、５１６ｂ、５１６ｃ…スリット、
５１７ａ、５１７ｂ、５１７ｃ…スリット、
５１８ａ、５１８ｂ…隔壁、５１９ａ、５１９ｂ…ネジ孔、
５２１、５２２…ネジ止め部、５２３、５２４…ネジ孔、
５２７ａ、５２７ｂ、５２７ｃ…突起部、
５２８ａ、５２８ｂ、５２８ｃ…突起部、５２９、５３０…溝部、
５３１…印刷配線板、
５３２ａ、５３２ｂ、５３２ｃ…カラー発光ダイオード、
５３３…コネクタ、５３６、５３７…ネジ挿通孔、
５４０…開口、５４１、５４２、５４３、５４４…板状部、
５４５…板状部、５４６、５４７…ネジ挿通孔、５４８…貫通部、
５４９…段部、５５０…押圧部、５５１、５５２…板状部、
５６０…挿入部、５６１、５６２、５６３、５６４…板状部、
５６５、５６６…係止爪、５６７、５６８…スリット、５６９…開口
５７０…内側フランジ部、５６７、５６８…スリット、
６０１…スタートボタンユニット取付部、
６０２…ストップボタンユニット、６０３、６０４…長孔、
６１０…貫通部、６１１、６１２、６１３、６１４…壁部、
６１５、６１６…溝部、６１７、６１８…段部、ネジ挿通孔、
６２１、６２４、６２５…ネジ挿通孔、
６２２、６２３、６２６、６２７…ネジ孔、６２６…ネジ孔、
６２７…ネジ孔、６２８…ネジ挿通孔、６３０…貫通部、
６３１、６３２、６３３、６３４…壁部、６３５、６３６…溝部、
６３７、６３８…段部、６３９、６４０…ネジ挿通孔、
７０１、７０２、７０３、７０４、７０５、７０６…ネジ、
７０７、７０８…ネジ、７１１、７１２、７０９、７１０…ネジ、
【図１】
2009172168.tif 000003
【図２】
2009172168.tif 000004
【図３】
2009172168.tif 000005
【図４】
2009172168.tif 000006
【図５】
2009172168.tif 000007
【図６】
2009172168.tif 000008
【図７】
2009172168.tif 000009
【図８】
2009172168.tif 000010
【図９】
2009172168.tif 000011
【図１０】
2009172168.tif 000012
【図１１】
2009172168.tif 000013
【図１２】
2009172168.tif 000014